(57)【特許請求の範囲】
【請求項１】
識別子が関連した消耗品を使用するテープ印刷装置であって、印刷手段と、読み取り手段と、記憶手段と、使用監視手段と、プロセッサと、を備え、
前記印刷手段は、画像を前記消耗品に備えられた画像受け取り基材に印刷するためのものであり；
前記読み取り手段は、前記消耗品の識別子を読み取るためのものであり；
前記記憶手段は、前記消耗品の識別子およびこれに関連した状態の更新可能なリストと、以前に使用されて空になった消耗品の識別子のブラックリストとを保持するためのものであり；
前記使用監視手段は、前記画像受け取り基材上の印を検出することによって、前記消耗品内の画像受け取り基材の使用を監視して、前記状態を更新するものであり、
前記プロセッサは、前記使用監視手段によって監視された使用に基づいて前記消耗品の残量を表示するものであり、このプロセッサは更に、読み取った前記識別子をブラックリスト内の識別子と比較して一致を検出した場合に、無効表示を発生させて印刷動作が実行されないようにテープ印刷装置を無効化するものであり、一方、読み取った前記識別子と前記更新可能なリスト内の識別子との一致を検出した場合に、前記使用監視手段に対し、前記更新可能なリストに記憶されている状態から前記画像受け取り基材の使用の監視を再開させる、テープ印刷装置。
【請求項２】
請求項１に記載のテープ印刷装置において、前記読み取り手段はＲＦコイルを含む、テープ印刷装置。
【請求項３】
請求項１に記載のテープ印刷装置において、前記プロセッサは、前記読み取り手段が読み取った、以前に使用された識別子と一致しない識別子を前記更新可能なリストに記憶させるように構成されている、テープ印刷装置。
【請求項４】
請求項１に記載のテープ印刷装置において、前記使用監視手段が検出する印は、前記画像受け取り基材の端部に設けられている、テープ印刷装置。
【請求項５】
請求項１乃至４のうちのいずれか一項に記載のテープ印刷装置において、前記消耗品は、熱転写材料の供給体を含む、テープ印刷装置。
【請求項６】
請求項１乃至５の何れかに記載のテープ印刷装置、及び識別子が関連した消耗品を組み合わせた装置。
【請求項７】
請求項６に記載の装置において、前記消耗品は、画像受け取り基材を巻付けたスプールを含む、装置。
【請求項８】
請求項６に記載の装置において、前記消耗品は、熱転写材料の供給体を含む、装置。
【請求項９】
画像受け取り基材を備える消耗品を受け入れるように構成されたテープ印刷装置の作動方法において、
読み取り手段によって、前記消耗品から識別子を読み取り、
記憶手段によって、前記消耗品の識別子およびこれに関連した状態の更新可能なリストと、以前に使用されて空になった消耗品の識別子のブラックリストとを保持し、
使用監視手段によって、画像受け取り基材上の印を検出することによって、前記消耗品内の画像受け取り基材の使用を監視して、状態を更新し、及び
プロセッサによって、前記使用監視手段によって監視された使用に基づいて前記消耗品の残量を表示し、さらに、読み取った前記識別子を前記ブラックリスト内の識別子と比較して一致を検出した場合に、無効表示を発生させて印刷動作が実行されないようにテープ印刷装置を無効化するものであり、一方、読み取った前記識別子の前記更新可能なリスト内の識別子との一致を検出した場合に、前記使用監視手段に対し、前記更新可能なリストに記憶されている状態から前記画像受け取り基材の使用の監視を再開させる、方法。
【請求項１０】
請求項９に記載の方法において、消耗品の供給者を同定する第２識別子を消耗品から読み取る工程、及び
消耗品の供給者についての情報を表示する工程を更に含む、方法。
【発明の詳細な説明】
【技術分野】
【０００１】
本発明は、サーマルプリンターでの消耗品の有効性に関する。
【背景技術】
【０００２】
サーマルプリンターは広く知られており、一般的には、画像受け取りテープに印刷を行うため、熱で作動させることができる印刷ヘッドを持つ印刷手段を含む。代表的には、画像受け取りテープは、画像を受け取るための上層、この上層に接着剤層によって固定された取り外し自在のライナ層即ち裏打ち層を有し、そのため、画像の印刷後にライナ層即ち裏打ち層を除去し、画像受け取りテープをラベルの形態で積み重ねることができる。このようなサーマルプリンターは、画像の印刷後に所定長さの画像受け取りテープを切断するためのカッターを含む。このようなサーマルプリンターは、画像受け取りテープ、又は熱収縮チューブ、鉄を表面に付着させた磁性ラベル、プラスチックストリップ、等の任意の他の画像受け取り基材の形態の消耗品を用いて作動する。
【０００３】
更に、インクリボンを印刷ヘッドのところで画像受け取りテープと重なるように供給するインクリボンカセットを使用できる。
「消耗品（ｃｏｎｓｕｍａｂｌｅ）」という用語は、本明細書中、画像受け取りテープや画像転写基材を提供する任意の適当な形態を示すために使用される。当該技術分野において多くの形態の消耗品が周知である。こらの形態には、カセットが含まれる。カセットは、画像受け取りテープの供給物が配置されるハウジングを含む。カセットは一般的には使い捨てであり、画像受け取りテープが消費されると（ハウジングごと）廃棄される。
【０００４】
別の種類の消耗品は、画像受け取りテープを巻付けるスプールを含むホルダである。スプールは、駆動を受けても受けなくてもよく、一般的にはプラスチック製の構成要素でできている。
【０００５】
別の種類の消耗品は、永久的なホルダを備えていない、紙製のコアに巻付けたテープのロールである。これらを「供給体」と呼ぶ。
上文中に述べたように、サーマルプリンターでは、画像は、一般的には、サーマル印刷ヘッドをインクリボンカセットに対して賦勢することによって発生され、インクリボンからインクが画像受け取りテープに印刷ゾーンのところで転写される。いわゆる直接サーマルテープもまた利用できる。この場合、画像は、インクリボンカセットを介在させることなく直接サーマルテープに直接形成される。「消耗品」という用語は、更に、インクリボン又は他の熱転写材料を含む。
【０００６】
しかしながら、これらの状況の全てにおいて、テーププリンターで使用する上で消耗品自体の有効性について共通の問題点が存在する。消耗品は、許可されていない製造者が、印刷装置で使用するための現存の消耗品を複製できるという意味で、容易に偽造できる。このような消耗品は、合法的に製造された消耗品よりも品質が低く、印刷装置で使用した場合に技術的問題を生じる。例えば、テープは皺になったりスリップしたりし、又は画像を適切に支持しない。更に、ゴミや塵埃をプリンターに持ち込んでしまう場合がある。
【発明の開示】
【発明が解決しようとする課題】
【０００７】
本発明の目的は、合法的に製造された消耗品だけを印刷装置で使用できるようにすることである。米国特許第５，８２１，９７５号（フランコタイプ−ポスタリアＡＧ＆Ｃｏ．）を参照されたい。この特許は、インクリボンカセットを使用するフランキング（ｆｒａｎｋｉｎｇ）装置に関する。インクリボンカセットは許可コードを支持しており、これはプリンターによって監視される。偽造に対して保護するため、有効な許可コードだけが、プリンターで使用する上で受け入れられる。この特許には、更に、インクリボンの使用を監視する方法が記載されている。
【０００８】
しかしながら、この構成は、許可コード自体を含むインクリボンカセットの複製による偽装をなくすものでははない。従って、これは、上文中に説明した問題点を完全には解決しない。
【課題を解決するための手段】
【０００９】
本発明の一つの特徴によれば、識別子が関連した消耗品を使用する印刷装置において、画像を画像受け取り基材に印刷するための印刷手段；識別子を読み取るための読み取り手段；空の消耗品と関連した以前に使用された任意の識別子のブラックリストを保持するための記憶手段、及び読み取り手段が読み取った識別子を以前に使用された任意の識別子のリストと比較し、一致した場合に無効表示を発生するように構成されたプロセッサを含む、印刷装置が提供される。
【００１０】
消耗品は、画像受け取り基材又は熱転写材料の供給体であってもよい。
本発明の別の特徴は、画像受け取り基材又は熱転写材料のうちの少なくとも一方を提供する、消耗品の出所を示す識別子を支持する消耗品を提供する。
【００１１】
別の特徴では、印刷装置、及び識別子が関連した消耗品の組み合わせにおいて、画像を画像受け取りテープに印刷するための印刷手段；識別子を読み取るための読み取り手段；空の消耗品と関連した以前に使用された任意の識別子のリストを保持するための記憶手段、及び読み取り手段が読み取った識別子を以前に使用された任意の識別子のブラックリストと比較し、一致した場合に無効表示を発生するように構成されたプロセッサを含む、組み合わせが提供される。
【００１２】
別の特徴では、消耗品を受け取るようになった印刷装置の作動方法において、消耗品から識別子を読み取り、この識別子を、空の消耗品と関連した以前に使用された任意の識別子のブラックリストと比較し、一致した場合に無効表示を発生する、方法が提供される。
【００１３】
無効表示は、プリンターを不能にし及び／又はエラーメッセージを表示する内部制御信号の形態をとってもよい。
好ましくは、識別子は消耗品のＲＦＩＤタグに設けられ、読み取り手段はＲＦコイルを含む。
【００１４】
消耗品は、カセット、ホルダ又は供給体自体（テープのロール）の形態であってもよい。ＲＦタグが供給体自体と関連し、ＲＦタグを供給体自体で容易に実施できるのが特に有利である。即ち、カセットハウジング又はホルダの部分である必要はない。
【００１５】
好ましくは、記憶手段は、複数の識別子フィールドが夫々の状態フィールドと関連した表を保持する。この表が更新可能なリストとなる。プロセッサは、これまで使用されたことのない消耗品から読み取った任意の識別子を表に入れ、状態フィールドを消耗品の使用に基づいて更新する。消耗品が空になったとき、識別子をブラックリストに移動し、その識別子を使用する消耗品がこれ以降、印刷装置で使用されないようにする。
【００１６】
本発明を良好に理解するため、及び本発明を実施する方法を示すため、添付図面を例として参照する。
【発明を実施するための最良の形態】
【００１７】
次に、印刷装置の機械的構成を図１乃至図４を参照して説明する。ラベル基材は、このラベル基材が挿入される印刷装置によって画像を印刷できるテープ２を含む。テープ２はテープホルダ６に収容されている。テープホルダの詳細は、図４、図４のａ、及び図４のｂから最も明瞭にわかる。テープホルダ６は、側部６０及びテープ２の供給体が巻付けられた内スプール６２を含む。内スプール６２は、テープを巻出すときにテープホルダ６内で回転してもよい。ばねクリップ６４がテープホルダのフランジに取り付けられており、スプール６２に当接する。ばねクリップ６４は、テープが必要以上に巻出されないようにする。テープホルダ６の各側には環状リブ５８が設けられており、これによりテープホルダを印刷装置の第１受け入れ部分６６に収容できる。
【００１８】
第１受け入れ部分６６を図４のｄに示す。第１受け入れ部分は側支持体８６、８８を有し、これらの支持体は、テープホルダ６の対応するリブ５８を受け入れるように設計された内方に面する凹所６７を各々有する。第１受け入れ部分６６は、以下に説明するように、幅が異なるホルダを収容するように調節できる。第１受け入れ部分６６の支持体８６及び８８は、歯付きアーム８０及び８２に連結されている。これらの歯付きアーム８０及び８２の歯は、コグ８４の両縁部と係合する。このようにして、支持体８６又は８８のうちの一方を移動すると、これに対して他方の支持体が逆方向に移動し、そのため、各支持体は中心線Ａ（図１参照）から常に等距離にある。これにより、テープは、テープの幅に拘わらず、常に印刷ヘッドの中央に供給される。支持体は、ホルダを挿入するために使用者によって離間でき、次いでばね７４（図１参照）が支持体を互いに向かって移動し、テープホルダ６の側部を把持する。
【００１９】
図４のｃに示すように、受け入れ部分６６には、ホルダを装置から取り外すことができるようにテープを巻き戻すため、テープホルダの内スプール６２を駆動するモータ１０（図１参照）によって動力が与えられる歯車チェーン７１が設けられている。
【００２０】
印刷装置は、モータ１０によって動力が与えられる歯車チェーン１２を含み、これにより供給ローラー１４を駆動し、テープをテープホルダ６から印刷装置の印刷ゾーン３に向かって移動する。印刷ゾーンでは、印刷ヘッド１６がばね２０によってプラテンローラー１８に押し付けられる。ばね２０は印刷ヘッド取り付けブロック１９内に保持されている。
【００２１】
インクリボンカセット８（図８参照）はインクリボン４を保持し、印刷装置の第２受け入れ部分に同様に取り付けられる。インクリボンは、印刷装置のシャフト２２及び２８に取り付けられる。取り付けブロック１９をアクチュエータ２１によって移動し、印刷ヘッド及びプラテン２６を離間し、これによりインクリボンカセット８を印刷機から取り外すことができる。未使用のインクリボン２６は、シャフト２２に取り付けられた供給リール２４に収容されている。使用済インクリボン３２は、シャフト２８に取り付けられた取り出しリール３０に収容されている。モータ３４が歯車チェーン３６に動力を提供する。モータ３４を正方向に駆動すると、第１歯車組３６ｃ、３６ｄがシャフト２８を駆動し、インクリボン４を供給リール２４から取り出しリール３０に正方向に引っ張り、スリップクラッチ（図示せず）がシャフト２２と係合した状態から外れ、そのため、シャフト２２は駆動されないが自由に回転する。モータ３４を逆方向に駆動すると、第２歯車組３６ａ、３６ｂがシャフト２２を駆動し、インクリボン４を取り出しリールから供給リールに逆方向に引っ張り、スリップクラッチ（図示せず）がシャフト２８と係合した状態から外れ、そのため、シャフト２８は駆動されないが自由に回転する。
【００２２】
インクリボンカセット８は、インクリボン４の経路が印刷ゾーン３を通って延びるように、詳細には印刷ヘッド１６とプラテン１８との間をテープ２と重なって延びるように、印刷装置に配置される。プラテン１８はプラテンモータ５６によって駆動され、印刷ゾーンを通ってテープを駆動する。
【００２３】
切断装置４０が印刷ヘッド３の下流に配置されている。切断装置は、カッターホルダ５４に取り付けられた円形の切断ブレード即ち切断ホイール４４を含む。切断ブレード４４は、テープ２をアンビル５２に対して切断する。カッターモータ４２が切断ホイール４４を休止位置からテープの幅を横切って駆動する切断ホイール４４がテープの全幅を横切った後、カッターモータ４２を逆転させ、カッターホルダ５４を駆動し、その休止位置に戻す。カッターホルダ５４は、テープ２の全幅に亘って延びる二つのスライダー４６に摺動自在に取り付けられている。カッターホルダ５４は、二つのローラー５０によって支持されたベルト４８に取り付けられている。一方のローラー５０はカッターモータ４２によって駆動され、カッターホルダをスライダー４６に沿って移動させる。
【００２４】
次に、印刷装置の機械的機能を説明する。テープの供給中、テープ供給モータ１０を賦勢し、テープ２を駆動し、印刷ヘッド１６を通過させる。テープは、印刷ゾーンに到着すると、プラテンモータ５６によって駆動されるプラテン１８によって取り上げられる。これと同時に、インクリボンモータ３４を賦勢し、インクリボンをテープと同じ速度で駆動する。インクをインクリボン４から基材２に周知の方法で転写する特定の印刷ヘッドエレメントを賦勢する（加熱する）ことによって、画像受け取りテープ２に画像を転写する。テープ２が印刷ヘッド１６を通過するときに画像を次々にコラムをなして印刷する。この印刷技術はそれ自体周知であり、このため、ここではこれ以上詳細に説明しない。
【００２５】
ラベルへの印刷が完了したとき、プラテンモータ５６及びインクリボンモータ３４は、ラベル端部が所要の切断位置に来るまでテープ及びインクリボンを所定距離供給し続ける。次いで、切断装置４０によってテープを切断する。切断の完了後、プラテンモータ５６を逆転することによってテープ２を逆転させる。プラテンモータは、テープ２が次のラベルを印刷するための正しい位置にくるまでプラテン１８を逆方向に駆動する。テープを逆転するとき、インクリボンモータ３４を逆転させることによってインクリボン４もまた同じ装置で逆転される。これにより、インクリボン４がテープ２に擦り付けられて損傷することがないようにする。
【００２６】
図９に示す光センサ７６は、印刷装置のフレームに取り付けられており、テープ２の存在を検出する。これにより、プリンターにテープがない場合にプリンターが印刷を行わないようにする。
【００２７】
図５は、印刷装置の制御構成要素の概略ブロックダイヤグラムを示す。マイクロプロセッサ１００が印刷装置の作動を制御し、これは、読み出し専用メモリー即ちＲＯＭ１０２、電子的に消去可能なプログラム可能読み出し専用メモリー即ちＥＥＰＲＯＭ１１４、及びランダムアクセスメモリー即ちＲＡＭ１０４と関連している。印刷装置は、データ（例えば文字及びシンボル）及び印刷を行うための制御コマンドを入力するためのキーボード１０６、及び作成中のラベル、制御コマンド、エラーメッセージ、等を使用者に表示するための表示装置１０８を含む。マイクロプロセッサ１００は、印刷ヘッド１６、テープ駆動モータ１０、インクリボンモータ３４、カッターモータ４２、及びプラテンモータ５６を制御する。
【００２８】
テープモニター１１２は、テープの使用を監視する。一実施例では、テープの使用を監視するため、基材テープの後側にテープ残量を示す印を設けてもよい。例えば、交互の白黒空間（テープの長さ方向に対して垂直なストリップ）を設けてもよく、この場合、白に対する黒の比、又は空間の絶対幅がテープの始部から端部まで変化する。これは連続した変化であってもよいし別個の変化であってもよく、後者の場合には、例えば、テープの残量をおおまかに表示するため、テープの四分の一毎に変化する。別の方法は、テープの全長に沿って斜めに延びる線を設けることであり、任意の箇所でテープの縁部からのこの線の距離が異なる。この場合、テープモニターは、これらの印を読み取るための読み取り機を含んでもよい。適当な読み取り装置が、例えば、本出願人の米国特許出願第０９／２８４，２３６号に記載されており、表示を使用するための適当な印は、本出願人の米国特許出願第０９／１４０５９号に記載されている。
【００２９】
別の変形例は、例えば基材テープ２の端部に銀めっきを施すことによってテープの端部を検出することである。これは、随意であるが、印刷装置によって検出できる。検出手段は、例えば、テープの端部に達したためにシャフトが回転を停止したかどうかを検出するため供給モータシャフトからのエンコードされたパルスを使用することによってテープの他端を知る。
【００３０】
インクリボンカセット内のインクリボンの使用量は、例えば、米国特許第５，８２１，９７５号に記載された周知の方法で監視できる。
印刷装置には、更に、カセットリーダー１１０が設けられている。カセットリーダー１１０は図７にも示してある。このリーダーの目的は、印刷装置に挿入したテープホルダやインクリボンカセットから識別子を読み取ることである。本明細書中に説明した種類の印刷装置で使用するのに適するように製造された各テープホルダ６又はインクリボンカセット８には、特定のテープホルダ、又はインクリボンカセット、及びその内容物を単一の態様で同定する単一の識別子が設けられている。ここに説明した実施例では、これは、テープホルダ６に設けられたＲＦタグ７０及びインクリボンカセット８に設けられたＲＦタグ７１に支持されており、これらの二つのタグは、カセットリーダー１１０によって読み取ることができ、単一の識別子が読み取られる。リーダーは、トランシーバー２０４及び２０６を制御するＲＦＩＤデータ処理ユニット２０２の形態をとる。トランシーバー２０４は、ＲＦコイル２１２を介して、テープホルダ６に取り付けられたタグ７０に設けられたコイル２０８と無線周波数の電磁波で通信する。トランシーバー２０６は、ＲＦコイルを介して、インクリボンカセット８に取り付けられたタグ７１に設けられたコイル２１０と通信する。通信した信号は、ＲＦキャリヤを変調することによって周知の方法でエンコードされる。ＲＦタグ７０、７１は受動的装置であり、アクセスされたときにカセットリーダー１１０からエネルギを受け取る。
【００３１】
カセットリーダー１１０は、タグ７０、７１が同じ位置になくてもこれらのタグ７０、７１から信号を読み取ることができるようにプリンターに配置される。ＲＦＩＤ  ＤＰＵ２０２は、いずれのタグを読み取るのか又は書き込むのかに応じて、トランシーバー２０４、２０６の間の切り換えを行う。
【００３２】
図８は、ＲＦタグ７０の概略図を示す。ＲＦタグ７１は、同様の態様で作動するように設計されている。カセットリーダー１１０から制御信号及び動力を受け取るため、ＲＦコイル２０８が設けられている。マイクロプロセッサを含むデジタル回路３０４が信号をアナログ回路３０２を介して受け取る。デジタル回路３０４は、ＥＥＰＲＯＭ３０６、ＲＯＭ３０８、及びＲＡＭ３１０にアクセスする。ＥＥＰＲＯＭ３０６には単一の識別子１１５が記憶されており、これは製造中にプログラムできる。
【００３３】
ＥＥＰＲＯＭ１０３の作動部分は、以下に論じる認証技術を実施するため、図６に示すように構成されている。即ち、ＥＥＰＲＯＭ１０３は、単一の識別子（ＩＤ）の各々を特定の状態と関連させることを可能にする構造を有する。更に、テープホルダ及びインクリボンカセットと関連したＩＤフィールド１１４及び多数の対応する状態フィールド１１６を含む構造を備えている。更に、ＥＥＰＲＯＭ１０３はブラックリスト１１８を保持する。プロセッサで実行される認証技術の作動を図９のフローチャートに示す。テープホルダ及びインクリボンカセットを印刷装置に挿入したとき、カセットリーダー１１０は、当該技術分野で周知のテープホルダ又はインクリボンカセットについて、ＲＦＩＤタグ７０又は７１から単一の識別子１１５を同定する（工程Ｓ１）。第１に、マイクロプロセッサ１００で実行される認証プロセス（工程Ｓ２）によって、単一の識別子が有効な識別子であることを確認する。有効な識別子でない場合には、無効表示を発生し、マイクロプロセッサは印刷を行わず、使用者は表示装置１０８で「このカートリッジは無効です」という警告メッセージを受け取る（工程Ｓ３）。
【００３４】
有効な識別子である場合には、その印刷装置で以前使用されたことのあるテープホルダの識別子のリストである識別子１１８のブラックリストに対してチェックを行う（工程Ｓ４）。これは、第三者が、既に使用されたことがある合法なテープホルダと交換しようとしてテープホルダを違法に製造し、そのテープホルダの識別子を複製することに対抗して防護する。カートリッジが既に使用されており且つ空になっている場合には、無効表示が発生され、マイクロプロセッサは印刷作業を実行しない。表示装置は、「カートリッジが空です。新しいカートリッジを入れて下さい」という警告メッセージを表示する。
【００３５】
テープホルダがブラックリストにない有効な識別子を持つことが確認された場合には、識別子１１５のリストに入れ、又は新たなカートリッジの場合には、識別子１１５をＩＤフィールド１１４に「空でない」という状態を記憶する（工程Ｓ６）。カートリッジがプリンターでかつて使用された場合には、その特定のカートリッジ識別子に記憶された状態を工程７でチェックする。状態が「空である」場合には、「カートリッジが空です。新しいカートリッジを入れて下さい」という警告メッセージを表示し、識別子をブラックリストに移動する。印刷装置の作動でテープが消費されるときに使用が監視され（工程Ｓ９）、状態フィールドを更新する（工程Ｓ１３）。更新は、連続的に又は各印刷作業後に行われ（工程Ｓ１２）、テープ残量を表示する。工程１０は、印刷作業中にテープが無くなった場合に警告メッセージ（工程１１）を発生でき、識別子をブラックリストに追加する。印刷ジョブの完了後、カートリッジの状態を記憶し、次いでテープを取り除くことができる。次いでテープが再挿入された場合には、シーケンスをＳ１で開始し、予め記憶された状態を工程Ｓ６で配置し、工程Ｓ７でチェックする。
【００３６】
ＲＦＩＤタグは、カートリッジの供給体又は分配体についての接触情報を保持できる。供給体又は分配体は、工場又は他の製造場所で挿入された単一の識別子の他に、それらの電話番号、ウェブサイトのＵＲＬ、等をタグに含んでいてもよい。これにより、残っているテープ又はラベルの量についての情報を分配体又は供給体についての情報を組み合わせ、例えば
「ラベル残量はｘ枚です。テープをいますぐウェブサイトｙで再注文してください。」
「ディーラーを呼んで下さい。電話番号はｚです。」
といったメッセージを表示できる。
【００３７】
本発明は、上文中に説明した連続テープの形態の消耗品並びにダイカットされたラベルを貼付した裏打ちシートの形態の消耗品に適用されるということは理解されよう。
かくして、消耗品は、元々の製造場所、例えば工場で識別子を適用し、配布者又は供給者についての接触情報を含む第２識別子を第２場所、例えば配布者又は供給者が適用することによって製造できる。
【図面の簡単な説明】
【００３８】
【図１】印刷装置の機械的構成の平面図である。
【図２】印刷装置の機械的構成の側面図である。
【図３】印刷装置の機械的構成の正面図である。
【図４】図１のａ−ａ線に沿った印刷装置の機械的構成の断面図である。
【図４−ａ】テープホルダの斜視図である。
【図４−ｂ】テープホルダの図４−ａとは見る角度が異なる斜視図である。
【図４−ｃ】印刷装置の受け入れ部品に収容されたテープホルダの斜視図である。
【図４−ｄ】テープホルダを取り外した状態の印刷装置の受け入れ部品の斜視図である。
【図５】印刷装置の制御構成要素の概略ブロックダイヤグラムである。
【図６】メモリー構造のダイヤグラムである。
【図７】タブ読み取り機の概略ブロックダイヤグラムである。
【図８】ＲＦタブの略図ブロックダイヤグラムである。
【図９】認証プロセスのフローチャートである。
【図１０】インクリボンカセットの斜視図である。
【図１１】光センサを示す、印刷装置の平面図である。
【図１】
0005340519.tif 000002
【図２】
0005340519.tif 000003
【図３】
0005340519.tif 000004
【図４】
0005340519.tif 000005
【図４−ａ】
0005340519.tif 000006
【図４−ｂ】
0005340519.tif 000007
【図４−ｃ】
0005340519.tif 000008
【図４−ｄ】
0005340519.tif 000009
【図５】
0005340519.tif 000010
【図６】
0005340519.tif 000011
【図７】
0005340519.tif 000012
【図８】
0005340519.tif 000013
【図９】
0005340519.tif 000014
【図１０】
0005340519.tif 000015
【図１１】
0005340519.tif 000016